(57)【要約】【課題】局装置は、上り下りの物理層を制御する物理層機能モジュールを備える場合に、他の加入者宅内装置宛ての下りユーザパケット配信を止めることなく、局装置の上り受信用ＰＬＬを回復させること。【解決手段】ＯＬＴ（局装置）１では、上り下りの物理層を制御するＰＨＹモジュール（物理層機能モジュール）６を備える場合に、送信許可順次割当制御回路８が、各ＯＮＴ（加入者宅内装置）２の上り応答時間と送信時間とを管理し、上り受信についてタイムアウトが発生したとき、そのタイムアウトが発生したＯＮＴ以外のＯＮＴに対し、上り受信用ＰＬＬ回路の状態を回復させる制御信号の送信を要求する。要求されたＯＮＴ２では、制御パケット処理部１５がその要求された制御信号のみを送信させる。【選択図】      図１
2005012461.tif 000002
【特許請求の範囲】
【請求項１】
局装置に対し光伝送路を介して複数の加入者宅内装置がそれぞれ接続されるＰＯＮシステムにおいて、
前記局装置は、
上り下りの物理層を制御する物理層機能モジュールを備えるとともに、各加入者宅内装置の上り応答時間と送信時間とを管理し、上り受信についてタイムアウトが発生したとき、そのタイムアウトが発生した加入者宅内装置以外の加入者宅内装置に対し、上り受信用ＰＬＬ回路の状態を回復させる制御信号の送信を要求する制御手段、
を備えたことを特徴とするＰＯＮシステムにおける局装置。
【請求項２】
前記制御手段は、下り送信中に上り受信についてタイムアウトが発生したときは、下り送信パケット信号を一時退避して前記上り受信用ＰＬＬ回路の状態を回復させる制御信号の送信を要求することを特徴とする請求項１に記載のＰＯＮシステムにおける局装置。
【請求項３】
局装置に対し光伝送路を介して複数の加入者宅内装置がそれぞれ接続されるＰＯＮシステムにおいて、
前記加入者宅内装置は、前記局装置から特別の制御信号の送信を要求する制御メッセージを受信したときは、送信する上りパケット信号を退避して要求された制御信号のみを送信する制御手段、
を備えたことを特徴とするＰＯＮシステムにおける加入者宅内装置。
【請求項４】
局装置に対し光伝送路を介して複数の加入者宅内装置がそれぞれ接続されるＰＯＮシステムにおいて、
前記局装置は、
上り下りの物理層を制御する物理層機能モジュールを備えるとともに、各加入者宅内装置の上り応答時間と送信時間とを管理し、上り受信についてタイムアウトが発生したとき、そのタイムアウトが発生した加入者宅内装置以外の加入者宅内装置に対し、上り受信用ＰＬＬ回路の状態を回復させる制御信号の送信を要求する制御手段、
を備え、
前記加入者宅内装置は、前記局装置から前記制御信号の送信を要求する制御メッセージを受信したときは、送信する上りパケット信号を退避して要求された制御信号のみを送信する制御手段、
を備えたことを特徴とするＰＯＮシステム。
【請求項５】
局装置に対し光伝送路を介して複数の加入者宅内装置がそれぞれ接続されるＰＯＮシステムにおいて、
前記局装置は、
上り物理層を制御する受信用物理層機能モジュールと下りの物理層を制御する送信用物理層機能モジュールとを備えるとともに、
各加入者宅内装置の上り応答時間と送信時間とを管理し、上り受信についてタイムアウトが発生したとき、前記受信用物理層機能モジュールが備えるＰＬＬ回路をリセットする制御手段、
を備えたことを特徴とするＰＯＮシステムにおける局装置。
【請求項６】
局装置に対し光伝送路を介して複数の加入者宅内装置がそれぞれ接続されるＰＯＮシステムにおいて、
前記局装置は、
上り下りの物理層を制御する物理層機能モジュールを備えるとともに、各加入者宅内装置の上り応答時間と送信時間とを管理し、上り受信についてタイムアウトが発生したとき、前記光伝送路から前記物理層機能モジュールに入力される上り信号に代えて、前記物理層機能モジュールに対し正常なデータパターンを持つ疑似信号を入力する疑似信号入力手段、
を備えたことを特徴とするＰＯＮシステムにおける局装置。
【請求項７】
前記疑似信号は、前記物理層機能モジュールの出力信号から制御情報を抽出する回路が抽出できるデータパターンを持つ疑似信号であることを特徴とする請求項６に記載のＰＯＮシステムにおける局装置。
【発明の詳細な説明】
【０００１】
【発明の属する技術分野】
この発明は、局装置と複数の加入者宅内装置が光伝送路を介して１対Ｎの通信を行う受動光ネットワーク（Ｐａｓｓｉｖｅ  Ｏｐｔｉｃａｌ  Ｎｅｔｗｏｒｋ：以降「ＰＯＮシステム」と記す）、局装置および加入者宅内装置に関するものである。
【０００２】
【従来の技術】
ＰＯＮシステムとしては、従来、例えば特許文献１に開示されたものが知られている。以下、図５を参照してその概要を説明する。図５は、従来のＰＯＮシステムの構成を示すブロック図である。
【０００３】
図５において、光通信装置は、局装置１１１と、加入者宅内装置１１３とから構成されいる。局装置１１１には、外部ワークステーション１１２が接続され、加入者宅内装置１１３には、端末１１４が接続されている。
【０００４】
局装置１１１は、ダイナミックに帯域変更を可能とする機能を有しており、その機能を用い、ＰＯＮシステムにおいて帯域保証サービスを除いた加入者宅内装置１１３と局装置１１１との間の余った帯域を非保証サービスに加入している複数の加入者間でシェアする。
【０００５】
加入者宅内装置１１３は、対向する局装置１１１との間のインタフェースを終端するＰＤＳ（Ｐａｓｓｉｖｅ    Ｄｏｕｂｌｅ    Ｓｔａｒ）終端部１３１と、ユーザ側の帯域非保証型サービスを終端する端末インタフェース終端部１３３と、そのＰＤＳ終端部１３１と該端末インタフェース終端部１３３との間のフォーマット変換を行いかつパケットデータを格納するメモリ１３２と、そのメモリ１３２内のデータ蓄積量を計測しかつＰＤＳ終端部１３１を介して局装置側に信号を送出する必要があるときにそのＰＤＳ終端部１３１に送信要求を通知するメモリ制御１３４とから構成されている。
【０００６】
局装置１１１は、対向する加入者宅内装置１１３との間のインタフェースを終端するＰＤＳ終端部１２１と、外部ワークステーション１１２からの制御情報を終端して装置内各機能ブロックに対して必要な制御情報を分配する制御部１２５と、その制御部１２５からの制御情報の内のシェアード帯域の利用を申請した加入者の情報を蓄積する加入者情報蓄積部１２４と、その加入者情報蓄積部１２４からの加入者情報を受けて該ＰＤＳ終端部１２１に加入者ＩＤとポーリング指示とを送信するパケット解析部１２３と時分割型スイッチ（ＴＳＷ）１２２とから構成されている。
【０００７】
パケット解析部１２３は、ＰＤＳ終端部１２１に加入者ＩＤとポーリング指示とを送信した際に該当する加入者宅内装置１１３からの送信要求１５１と加入者ＩＤとを受信し、送信要求１５１を受信した際に該当する加入者宅内装置１１３に対し、上記の機能を用いてシェアした上りシェアード待機に対する送信許可信号１５２を送出し、加入者宅内装置１１３からのパケット信号を受信する。
【０００８】
また、パケット解析部１２３は、加入者宅内装置１１３からの最初のパケット信号のパケットオーバヘッド（ＬＬＣ部）に記述されているパケット長信号を解析し、そのパケット長に応じて該当する加入者宅内装置１１３が占有する時間を決定し、その占有時間だけその加入者宅内装置１１３に送信許可信号１５２を送出し、加入者宅内装置１１３からのパケット信号を受信する。
【０００９】
ここで、局装置１１１では、物理レイヤ機能部であるＰＤＳ終端部１２１において上り受信にＰＬＬを用いて同期を取っている。そして、その上り受信用ＰＬＬが異常になった場合、加入者宅内装置１１３からのユーザパケット等のオーバヘッド長を長くしておくことにより毎回受信ＰＬＬを回復させる方法が採用されている。
【００１０】
【特許文献１】
特開平１１−９８１５１号公報（００２２〜００２７、図１）
【００１１】
【発明が解決しようとする課題】
しかしながら、局装置が備える上り受信用ＰＬＬが異常になった場合、加入者宅内装置からのユーザパケット等のオーバヘッド長を長くして毎回上り受信用ＰＬＬを回復させる方法では、オーバヘッドを長くした分上り通信帯域を消費してしまうことになり、伝送効率が悪くなる。
【００１２】
また、他の方法としては、上り受信用ＰＬＬ制御に市販の物理層機能モジュール（以降、「ＰＨＹモジュール」と記す）を利用する方法がある。この方法では、ＰＨＹモジュールをリセットすることにより正常な状態に戻すことができる。しかし、このリセットを行なうと、下り伝送も止めてしまうことになるので、１対１接続の場合はこれで問題はないが、１対Ｎ接続の場合には、他の加入者宅内装置への下り伝送に影響を与えてしまうという問題がある。
【００１３】
この発明は、上記に鑑みてなされたもので、局装置に多数の加入者宅内装置が接続されるＰＯＮシステムにおいて、他の加入者宅内装置宛ての下りユーザパケット配信を止めることなく、局装置の上り受信用ＰＬＬを回復させる機能を備えたＰＯＮシステム、局装置および加入者宅内装置を得ることを目的とする。
【００１４】
【課題を解決するための手段】
上記目的を達成するため、この発明にかかるＰＯＮシステムにおける局装置は、局装置に対し光伝送路を介して複数の加入者宅内装置がそれぞれ接続されるＰＯＮシステムにおいて、前記局装置は、上り下りの物理層を制御する物理層機能モジュールを備えるとともに、各加入者宅内装置の上り応答時間と送信時間とを管理し、上り受信についてタイムアウトが発生したとき、そのタイムアウトが発生した加入者宅内装置以外の加入者宅内装置に対し、上り受信用ＰＬＬ回路の状態を回復させる制御信号の送信を要求する制御手段を備えたことを特徴とする。
【００１５】
この発明によれば、局装置は、上り下りの物理層を制御する物理層機能モジュールを備える場合に、上り受信についてタイムアウトが発生したとき、そのタイムアウトが発生した加入者宅内装置以外の加入者宅内装置に対し、上り受信用ＰＬＬ回路の状態を回復させる制御信号の送信を要求するようにしたので、物理層機能モジュールをリセットすることなく、上り受信用ＰＬＬ回路の状態を回復させることができる。
【００１６】
【発明の実施の形態】
以下に添付図面を参照して、この発明にかかるＰＯＮシステム、局装置および加入者宅内装置の好適な実施の形態を詳細に説明する。
【００１７】
実施の形態１．
図１は、この発明の実施の形態１であるＰＯＮシステムの構成を示すブロック図である。図１において、ＰＯＮシステムでは、局装置（Ｏｐｔｉｃａｌ  Ｌｉｎｅ  Ｔｅｒｍｉｎａｔｏｉｎ：以降、「ＯＬＴ」と記す）１に対し、多数の加入者宅内装置（Ｏｐｔｉｃａｌ  Ｎｅｔｗｏｒｋ  Ｔｅｒｍｉｎａｔｏｉｎ：以降、「ＯＮＴ」と記す）２が光ファイバ３およびスターカプラ４を介して接続されている。
【００１８】
ＯＬＴ１は、電気・光変換回路（ＯＥ／ＥＯ）５と、ＰＨＹモジュール６と、制御パケット抽出部７と、送信許可順次割当制御回路８と、制御パケット生成回路９と、タイマ制御部１０と、バッファ１１とを備えている。
【００１９】
ＯＥ／ＥＯ５は、ＰＯＮ網とのインタフェースをなす回路であって、ＰＨＹモジュール６から入力される電気信号（下り送信パケット信号）を光信号に変換してＰＯＮ網に送出し、またＰＯＮ網から取り込んだ光信号（上りパケット信号）を電気信号に変換してＰＨＹモジュール６に与えることを行う。
【００２０】
ＰＨＹモジュール６は、電気・光変換回路（ＯＥ／ＥＯ）５と内部回路とのインタフェースをなす市販の物理層機能モジュールであって、ＯＥ／ＥＯ５から入力された電気信号（上りパケット信号）からＰＬＬ回路を用いてクロックを再生し、シリアルの上りパケット信号をパラレルに変換して制御パケット抽出部７に出力すること、制御パケット生成回路９からのパラレルの下りパケット信号をシリアルに変換してＯＥ／ＥＯ５に出力する等を行う回路である。
【００２１】
制御パケット抽出部７は、ＰＨＹモジュール６が出力する上りパケット信号を上り受信のＩＰパケット信号（ユーザパケット）として内部回路に出力するとともに、その上りパケット信号から制御パケットを抽出して解析し、抽出した制御情報を送信許可順次割当制御回路８に与える。
【００２２】
タイマ制御部１０は、各ＯＮＴ２との通信制御に必要な時間を管理し、送信許可順次割当制御回路８が生成するタイマ制御信号を受けて対応するタイマイベント信号を送信許可順次割当制御回路８に与える。
【００２３】
バッファ１１には、内部回路から下り送信のＩＰパケット信号（ユーザパケット）が入力される。送信許可順次割当制御回路８は、制御パケット抽出部７から入力される制御情報とタイマ制御部１０から取得するタイマイベント信号とに基づき各ＯＮＴ２の上り通信制御や状態を管理する回路である。
【００２４】
制御パケット生成回路９は、送信許可順次割当制御回路８の制御下に、バッファ１１からＩＰパケットを読み出してＰＨＹモジュール６に出力するとともに、送信許可順次割当制御回路８からの制御パケット生成信号に従って制御パケットを生成し、ＰＨＹモジュール６に出力する。制御パケット生成回路９が制御パケットを生成するときは、送信許可順次割当制御回路８は、バッファ１１に対しバッファ制御信号を出力し、バッファ１１から制御パケット生成回路９に与えるＩＰパケットの出力タイミングを制御する。
【００２５】
また、ＯＮＴ２は、電気・光変換回路（ＯＥ／ＥＯ）１２と、ＰＨＹモジュール１３と、制御パケット抽出部１４と、制御パケット処理部１５と、制御パケット生成回路１６と、バッファ１７とを備えている。
【００２６】
ＯＥ／ＥＯ１２は、ＰＯＮ網とのインタフェースをなす回路であって、ＰＨＹモジュール１３から入力される電気信号（上り送信パケット信号）を光信号に変換してＰＯＮ網に送出し、またＰＯＮ網から取り込んだ光信号（下りパケット信号）を電気信号に変換してＰＨＹモジュール１３に与えることを行う。
【００２７】
ＰＨＹモジュール１３は、電気・光変換回路（ＯＥ／ＥＯ）１２と内部回路とのインタフェースをなす市販の物理層機能モジュールであって、電気・光変換回路（ＯＥ／ＥＯ）１２から入力された電気信号（下りパケット信号）からＰＬＬ回路を用いてクロックを再生し、シリアルの下りパケット信号をパラレルに変換して制御パケット抽出部１４に出力すること、制御パケット生成回路１６からのパラレルの上りパケット信号をシリアルに変換して電気・光変換回路（ＯＥ／ＥＯ）１２に出力する等を行う回路である。
【００２８】
制御パケット抽出部１４は、ＰＨＹモジュール１３が出力する下りパケット信号を下り受信のＩＰパケット信号（ユーザパケット）として内部回路に出力するとともに、その下りパケット信号から制御パケットを抽出し、抽出した制御情報を制御パケット処理部１５に与える。
【００２９】
バッファ１７には、内部回路から上り送信のＩＰパケット信号（ユーザパケット）が入力される。制御パケット処理部１５は、自ＯＮＴ２の状態と制御パケット抽出部１４からの制御情報とに基づき、ＯＬＴ１に送信する制御メッセージの生成制御を行う回路である。
【００３０】
制御パケット生成回路１６は、制御パケット処理部１５の制御下に、バッファ１７からＩＰパケットを読み出してＰＨＹモジュール１３に出力するとともに、制御パケット処理部１５からの制御パケット生成信号に従って制御パケットを生成し、ＰＨＹモジュール１３に出力する。制御パケット生成回路１６が制御パケットを生成するときは、制御パケット処理部１５は、バッファ１７に対しバッファ制御信号を出力し、バッファ１７から制御パケット生成回路１６に与えるＩＰパケットの出力タイミングを制御する。
【００３１】
次に、図１、図２を参照して、以上のように構成されるＰＯＮシステムにて実施される上り受信用ＰＬＬの回復動作について説明する。なお、図２は、図１に示すＰＯＮシステムにて実施される上り受信用ＰＬＬの回復動作を説明するフローチャートである。図２では、ＯＬＴ１が通常状態での上り送信順次割当制御を行う過程で、ＯＬＴ１における上り受信用のＰＬＬを回復する制御をポーリング制御方式で実施する場合が示されている。
【００３２】
図２において、通常状態での上り送信順次割当制御では、ＯＬＴ１は、初期設定（ステップＳＴ１）の後、登録されているＯＮＴ２に対して順に送信許可を与えて（ステップＳＴ２）、上り伝送を管理する。一方、各ＯＮＴ２では、上りデータを規定の時間出力するか、送信許可時間が余っている状態で上りデータが無い状態の場合は、送信許可時間内に送信終了を表す制御パケット（送信終了メッセージ）を送信する。
【００３３】
そこで、ＯＬＴ１では、送信許可順次割当制御回路８が、送信許可時間を管理するタイマ制御部１０にカウント動作を開始させ（ステップＳＴ３）、送信許可タイマが満了する前に（ステップＳＴ６：Ｎｏ）ＯＮＴ２からの制御パケット（送信終了メッセージ）の受信できるか否かを監視する（ステップＳＴ４）。
【００３４】
ＯＬＴ１では、送信許可タイマが満了する前に（ステップＳＴ６：Ｎｏ）、制御パケット抽出部７にて制御パケットが抽出され識別できると（ステップＳＴ４：Ｙｅｓ）、送信許可タイマを停止させ、リセットして次のＯＮＴ２に送信権を渡し（ステップＳＴ５）、ステップＳＴ２に戻る。
【００３５】
一方、ＯＬＴ１では、制御パケット抽出部７にて制御パケットが抽出されず識別できないまま（ステップＳＴ４：Ｎｏ）、送信許可タイマが満了すると（ステップＳＴ６：Ｙｅｓ）、ステップＳＴ７に進む。このケースは、ＰＨＹモジュール６が備える上り受信用のＰＬＬ回路が同期外れを起こし、異常状態に陥った場合である。
【００３６】
すなわち、ＰＨＹモジュール６が備える上り受信用のＰＬＬ回路が同期外れを起こす条件の１つとして、光ファイバ３が抜去された場合がある。このときは、ＯＬＴ１のＯＥ／ＥＯ５は電気信号としてノイズを出力することがある。そのためＰＨＹモジュール６ではＰＬＬの同期外れが起こり、異常状態に陥る場合がある。この異常状態を検出する方法として、ＯＮＴ２から必ず受信する送信終了等を表す制御パケットを受信できないまま（ステップＳＴ４：Ｎｏ）、送信許可タイマが満了した場合（ステップＳＴ６：Ｙｅｓ）を採用する。
【００３７】
この条件が発生した場合に、ＯＬＴ１では、ＰＬＬを回復させるＰＬＬ回復シーケンスを行なう（ステップＳＴ７〜ステップＳＴ１４）。まず、送信許可順次割当制御回路８は、このＰＬＬ回復シーケンスの規定時間を管理するために、タイマ制御部１０にＰＬＬ回復シーケンスタイマの規定時間までのカウント動作を開始させる（ステップＳＴ７）。次に、送信許可順次割当制御回路８は、他に登録しているＯＮＴ２に対して制御パケットのみを出力するように、制御パケット生成回路９から制御パケット（ＯＡＭパケット）を送出させる（ステップＳＴ８）。同時に、送信許可順次割当制御回路８は、タイマ制御部１０に各ＯＮＴ２の応答待ち時間を管理する応答待ちタイマのカウント動作を開始させ（ステップＳＴ９）、ＯＮＴ２から制御メッセージ（ＯＡＭパケット）の受信有無を監視する（ステップＳＴ１０）。
【００３８】
ＯＮＴ２の制御パケット処理部１５では、そのＯＡＭパケットの受信有無を監視し、制御パケット抽出部１４がＯＡＭパケットを抽出すると、制御パケット生成部１６に対し制御パケット生成信号として受信したＯＡＭパケットを与えると同時に、ユーザパケットを出力しないように、バッファ１１に対してバッファ制御信号を与えて読み出し停止を行う。これによって、制御パケット生成部１６から制御メッセージ（ＯＡＭパケット）のみがＯＬＴ１に向けて送信される。
【００３９】
ＯＬＴ１では、ＯＮＴ２から制御メッセージ（ＯＡＭパケット）を正常な形で受信すると（ステップＳＴ１０：Ｙｅｓ）、ＰＨＹモジュール６のＰＬＬ回路は、ＯＥ／ＥＯ５から電気信号として正常なデータパターンが入力するので、同期外れが解消され、ＰＬＬ状態回復を図ることができる。
【００４０】
このＰＨＹモジュール６のＰＬＬ回路が同期状態を回復すると、制御パケット抽出部７にて制御メッセージ（ＯＡＭパケット）が抽出されるので、送信許可順次割当制御回路８では、ＰＬＬ異常の解消を確認して、ＰＬＬ回復シーケンスに用いていたタイマを停止させ（ステップＳＴ１１）、通常制御に戻す（ステップＳＴ５）。
【００４１】
一方、ＯＬＴ１では、ＯＮＴ２から正常な形の制御メッセージ（ＯＡＭパケット）が受信できないときは（ステップＳＴ１０：Ｎｏ）、上記のＰＬＬ異常の解消が図れない。その状態が継続し応答待ちタイマが満了すると（ステップＳＴ１２：Ｙｅｓ）、送信許可順次割当制御回路８では、ＰＬＬ回復シーケンスタイマの満了有無を判断する（ステップＳＴ１３）。
【００４２】
ＰＬＬ回復シーケンスタイマが満了していない場合は（ステップＳＴ１３：Ｎｏ）、応答待ちタイマを停止するとともにリセットし（ステップＳＴ１４）、ステップＳＴ８に戻り次に登録されているＯＮＴ２に対して同様の制御を行なう。そして、ステップＳＴ８〜ステップＳＴ１３→ステップＳＴ１４→ステップＳＴ８を規定の時間内、繰り返した後ＰＬＬ回復シーケンスタイマが満了すると（ステップＳＴ１３：Ｙｅｓ）、ＰＬＬ回復シーケンスタイマを停止し（ステップＳＴ１１）、正常時のシーケンスに戻る（ステップＳＴ１１→ステップＳＴ５→ステップＳＴ２）。
【００４３】
以上のように、実施の形態１によれば、ＯＬＴは、ＰＬＬの回復シーケンスを実施するときは、ＯＮＴに対し個別に上りパケットとして制御パケットのみを送信させるようにし、該当するＯＮＴではユーザパケットはバッファに保持するようしたので、ＯＬＴが持つＰＨＹモジュールのＰＬＬ異常によるユーザパケットの消失を抑制することができる。
【００４４】
また、ＯＬＴは、ＰＬＬの回復シーケンスを実施するときは、ＰＨＹモジュールにリセットを掛けないので、下り伝送には影響を与えない。加えて、ＯＬＴは、下りユーザパケットの伝送中においてＰＬＬ回復シーケンスに用いる制御パケットを送出する場合には、ユーザパケットを一時的にバッファリングするので、下りパケットをできるだけ廃棄せずにＰＬＬ回復シーケンスを実行することができる。
【００４５】
実施の形態２．
図３は、この発明の実施の形態２であるＰＯＮシステムにおける局装置の構成を示すブロック図である。なお、図１に示した構成要素と同一ないしは同等である要素には、同一の符号が付されている。ここでは、実施の形態２に関わる部分を中心に説明する。
【００４６】
図３に示すように、実施の形態２によるＰＯＮシステムでは、図１に示した構成において、ＯＬＴ１に代えてＯＬＴ２０が設けられている。ＯＬＴ２０は、図１に示したＯＬＴ１において、ＰＨＹモジュール６に代えて、受信ＰＨＹモジュール２１と送信ＰＨＹモジュール２２とが設けられている。受信ＰＨＹモジュール２１は、送信許可順次割当回路８からリセットできるようになっている。
【００４７】
この構成によれば、ＰＬＬの異常判断は、実施の形態１と同じであるが、タイムアウトによるＰＬＬ異常を検出した場合に、ＯＬＴ２０では受信ＰＨＹモジュール２１のみをリセットすることができるので、上り受信用のＰＬＬ回路を初期状態に戻す制御が行える。
【００４８】
したがって、実施の形態２では、ＯＬＴのＰＨＹモジュールを送受信別々にリセットが可能な場合、下り伝送を止めることなく上り受信ＰＬＬ異常を回復させることができる。また、実施の形態１とは違って、上り受信ＰＬＬ状態回復のために特殊な回復シーケンスが不要であるので、ＯＬＴ側の制御構成が簡単になる。
【００４９】
実施の形態３．
図４は、この発明の実施の形態３であるＰＯＮシステムにおける局装置の構成を示すブロック図である。なお、図１に示した構成要素と同一ないしは同等である要素には、同一の符号が付されている。ここでは、実施の形態３に関わる部分を中心に説明する。
【００５０】
図４に示すように、実施の形態３によるＰＯＮシステムでは、図１に示した構成において、ＯＬＴ１に代えてＯＬＴ３０が設けられている。ＯＬＴ３０は、図１に示したＯＬＴ１において、選択部３１と疑似信号発生器３２とが設けられている。
【００５１】
疑似信号発生器３２は、疑似信号３５として、例えば、ＩＤＬＥパターン等の正常なデータパターンの発生が行える。選択部３１は、一方の入力端がＯＥ／ＥＯ５の上り出力端に接続され、他方の入力端が疑似信号発生器３２の出力端に接続され、出力端がＰＨＹモジュール６の上り入力端に接続されている。
【００５２】
選択部３１は、送信許可順次割当回路８から選択制御信号が入力すると、ＯＥ／ＥＯ５の上り出力端からの上りパケット信号に代えて、疑似信号発生器３２が発生する疑似信号（ＩＤＬＥパターン等の正常なデータパターン）３５を一定時間ＰＨＹモジュール６に与えるようになっている。
【００５３】
この構成によれば、ＰＬＬの異常判断は、実施の形態１と同じであるが、タイムアウトによるＰＬＬ異常を検出した場合に、ＯＬＴ３０では、送信許可時間のタイムアウト発生時において、ＰＨＹモジュール６へのＰＯＮ網からの入力を、ＰＬＬ回復に必要なＩＤＬＥパターン等の正常なデータパターン３５の入力に切り替えることができ、しかもそのＩＤＬＥパターン等の正常なデータパターン３５を一定時間継続して入力することができるので、ＰＬＬ回路を短時間に回復せることができる。
【００５４】
したがって、以上説明した実施の形態１，２では、ＰＬＬ状態回復のために上り伝送の帯域にロスが発生することがあるが、この実施の形態３では、ＰＬＬ回復時間を短くすることができるので、上り伝送の帯域ロスを抑えることができる。
【００５５】
なお、疑似信号３５として、ＩＤＬＥパターン等の正常なデータパターンに代えて、制御パケット抽出部７が識別できる制御パケットを選択部３１を介してＰＨＹモジュール６に入力させるようにすれば、制御パケット抽出部７がＰＨＹモジュール６からその制御パケットが出力されるのを検出できたときをＰＬＬ回復シーケンスの終了とすることができる。
【００５６】
【発明の効果】
以上説明したように、この発明によれば、局装置は、上り下りの物理層を制御する物理層機能モジュールを備える場合に、上り受信についてタイムアウトが発生したとき、そのタイムアウトが発生した加入者宅内装置以外の加入者宅内装置に対し、上り受信用ＰＬＬ回路の状態を回復させる制御信号の送信を要求するようにしたので、物理層機能モジュールをリセットすることなく、すなわち、他の加入者宅内装置宛ての下りユーザパケット配信を止めることなく、局装置の上り受信用ＰＬＬを回復させることができる。
【図面の簡単な説明】
【図１】この発明の実施の形態１であるＰＯＮシステムの構成を示すブロック図である。
【図２】図１に示すＰＯＮシステムにて実施される上り受信用ＰＬＬの回復動作を説明するフローチャートである。
【図３】この発明の実施の形態２であるＰＯＮシステムにおける局装置の構成を示すブロック図である。
【図４】この発明の実施の形態３であるＰＯＮシステムにおける局装置の構成を示すブロック図である。
【図５】従来のＰＯＮシステムの構成を示すブロック図である。
【符号の説明】
１，２０，３０  局装置（ＯＬＴ）、２  加入者宅内装置（ＯＮＴ）、３  光ファイバ、４  スターカプラ、５，１２  電気・光変換回路（ＯＥ／ＥＯ）、６，１３  ＰＨＹモジュール、７，１４  制御パケット抽出部、８  送信許可順次割当制御回路、９，１６  制御パケット生成回路、１０  タイマ制御部、１１，１７  バッファ、１５  制御パケット処理部、３１  選択部、３２  疑似信号発生器。
【図１】
2005012461.tif 000003
【図２】
2005012461.tif 000004
【図３】
2005012461.tif 000005
【図４】
2005012461.tif 000006
【図５】
2005012461.tif 000007